(57)【要約】      （修正有）【課題】既存の吊戸棚に容易に後付けが可能な昇降棚において、非使用時には見映え良く納まり、使用時には使い勝手が良い構造の昇降棚を提供する。【解決手段】棚板の左右両端にパンタグラフ構造の上下伸縮装置の下端部を取付け、その上下伸縮装置の上端部に吊戸棚への取付部を備える。上下伸縮装置の最上部リンク前端を吊戸棚への取付部に対して前後にスライド且つ回動可能に軸止めし、最上部リンク後端を前記取付部に対して回動可能に軸止めし、最下部リンク前端を昇降棚板に対して前後にスライド且つ回動可能に取り付け、最下部リンク後端を前記昇降棚板に対して回動可能に固定することで棚板の昇降を可能とし、その昇降動作に連動して前記取付部間に配置した目隠し板が回動するよう構成する。吊戸棚への取付部として、吊戸棚底板を上下から挟んで固定する。【選択図】図１
0003153894.tif 000002
【実用新案登録請求の範囲】
【請求項１】
棚板の左右両端にパンタグラフ構造の上下伸縮装置の下端部を取り付け、その上下伸縮装置の上端部に吊戸棚への取付部を備え、その取付部間に配置した目隠し板が前記棚板の昇降動作に連動して回動するように前記上下伸縮装置と前記目隠し板を連結したことを特長とする昇降棚。
【請求項２】
上下伸縮装置の最上部リンク前端を吊戸棚への取付部に対して前後にスライド且つ回動可能に軸止めし、最上部リンク後端を前記取付部に対して回動可能に軸止めし、最下部リンク前端を棚板に対して前後にスライド且つ回動可能に取り付け、最下部リンク後端を前記棚板に対して回動可能に固定し、目隠し板の左右両端上部を前記取付部にそれぞれ回動自在に軸止めし、前記目隠し板が前記最上部リンク前端の後退によりその背面が吊戸棚底板下面へ近接した水平状になり前進により垂直状に吊り下がるよう、前記目隠し板と前記最上部リンク前端を互いに回動可能に連結したことを特長とする請求項１記載の昇降棚。
【請求項３】
パンタグラフ構造の左右一対の上下伸縮装置の上下中間位置に棚板を取り付け、前記上下伸縮装置の短縮により上下２段の棚板が共に吊戸棚底板の下面に近接した状態において、目隠し板が前記上下２段の棚板の前面を目隠しするために垂直状に吊り下がるよう前記上下伸縮装置と前記目隠し板を連結したことを特長とする請求項１又は２記載の昇降棚。
【請求項４】
吊戸棚への取付部は、吊戸棚底板を上下から挟んで固定する構造であることを特長とする請求項１ないし３のいずれかに記載の昇降棚。
【考案の詳細な説明】
【技術分野】
【０００１】
本考案は、キッチン用の水切棚あるいは整理棚であって、詳しくは吊戸棚の下側に取付けて使用時は棚板をアイレベル位置に引き下げて利用し、非使用時は棚板を押上げて吊戸棚の底板に接近させた状態に収納しておく昇降棚である。
【背景技術】
【０００２】
すでに出願されているものとしては、「棚板を左右の伸縮金具で上下に伸縮させる伸縮棚」が記載された実用新案登録出願と、「吊戸棚の下部空間に小物部材を収める収納スペースと仮置きスペースを新たに確保することができる、上段棚部材と下段棚部材が同調して水平回動するように上部平行リンクと下部平行リンクを連動した多段式の棚装置」が記載された特許出願がある。
【０００３】
しかし、前記実用新案登録出願の伸縮棚は、伸縮金具を収縮させた状態でも棚板が見えているので見映えが良くないという問題があり、また前記特許出願の棚装置は、格納した状態の上下の棚部材は吊戸棚下部の周枠及び照明灯収納部に隠れるので見映えは良いが，棚部材を引き下げた使用状態においては前記周枠及び照明灯収納部が邪魔をして上段の棚部材の使い勝手が悪いという問題があった。
【先行技術文献】
【特許文献】
【０００４】
【特許文献１】実開昭６１−１９２７３５号公報
【特許文献２】特開２００８−１１０１５３号公報
【考案の概要】
【考案が解決しようとする課題】
【０００５】
本考案が解決しようとする問題点は、既存の吊戸棚に容易に後付けが可能な昇降棚において、非使用時には見映え良く納まり、使用時には使い勝手が良い構造にすることである。
【課題を解決するための手段】
【０００６】
請求項１の考案は、棚板の左右両端にパンタグラフ構造の上下伸縮装置の下端部を取付け、その上下伸縮装置の上端部に吊戸棚への取付部を備え、その取付部間に配置した目隠し板が前記棚板の昇降動作に連動して回動するように前記上下伸縮装置と前記目隠し板を連結したことを特徴とする。したがって使用時には棚板を下方へ引き降ろし、非使用時には棚板を押し上げて収納する動作に連動して目隠し板が回動する。
【０００７】
請求項２の考案は、上下伸縮装置の最上部リンク前端を吊戸棚への取付部に対して前後にスライド且つ回動可能に軸止めし、最上部リンク後端を前記取付部に対して回動可能に軸止めし、最下部リンク前端を棚板に対して前後にスライド且つ回動可能に取り付け、最下部リンク後端を前記棚板に対して回動可能に固定し、目隠し板の左右両端上部を前記取付部にそれぞれ回動自在に軸止めし、前記目隠し板が前記最上部リンク前端の後退によりその背面が吊戸棚底板下面へ近接した水平状になり前記最上部リンク前端の前進により垂直状に吊り下がるよう、前記目隠し板と前記最上部リンク前端を互いに回動可能に連結したことを特徴とする。
【０００８】
このように構成することにより、昇降棚を使用するために棚板をアイレベル位置に引き降ろすと最上部リンク前端が後退して目隠し板はその背面が吊戸棚底板下面へ近接した水平状になり、昇降棚を使用しない時に棚板を上方に押上げると最上部リンク前端が前進して目隠し板は垂直状に吊り下がる。また目隠し板を介して左右の上下伸縮装置が同調して動く。
【０００９】
請求項３の考案は、パンタグラフ構造の左右一対の上下伸縮装置の上下中間位置に棚板を取り付け、前記上下伸縮装置の短縮により上下２段の棚板が共に重なり合って吊戸棚底板の下面に近接した状態において、目隠し板が前記上下２段の棚板の前面を目隠しするために垂直状に吊り下がるよう前記上下伸縮装置と前記目隠し板を連結したことを特徴とする。したがって昇降棚の非使用時においては上下２段の棚板の前面を目隠し板が隠して見映えを良くする。
【００１０】
請求項４の考案は、戸棚底板への取付部が、吊戸棚底板を上下から挟んで固定する構造であることを特徴とするので、既存の吊戸棚に後付で昇降棚を取り付けることができる。
【考案の効果】
【００１１】
以上のように本考案は、昇降棚を使わない時は昇降棚が目隠し板で隠れるので見映えが良く、昇降棚を使う時は目隠し板が吊戸棚の底板下面にへばり付いた状態になるので昇降棚へ物品を乗せ降ろしするのに邪魔にならないという利点があり、また昇降棚は吊戸棚の底板を挟み付けて固定するので既存の吊戸棚へ後付けすることが容易にできるという利点がある。
【００１２】
さらに、左右の上下伸縮装置が目隠し板を介して互いに同調するので、昇降動作をする際に棚板が左右のバランスを崩すことがないという利点がある。
【図面の簡単な説明】
【００１３】
【図１】本考案の昇降棚が下降した状態を示した透視図
【図２】本考案の昇降棚が上昇した状態を示した透視図
【図３】本考案の上下伸縮装置と取付部及び目隠し板の連結状態を示した部分拡大図
【図４】本考案の上下伸縮装置と棚板の連結構造を示した部分拡大図
【考案を実施するための形態】
【００１４】
以下、本考案の実施の形態を図面に基づき説明する。
【実施例１】
【００１５】
図１および図２は、本考案の昇降棚１の全体を示した図であり、図１は上下伸縮装置１３が伸長して棚板１１、１２がアイレベルの高さまで下降し水切り棚として使用する状態における全体を示した透視図で、図２は上下伸縮装置１３が短縮して棚板１１、１２が上昇して重なり合って水切り棚として使用しない状態における全体を示した透視図である。
【００１６】
キッチンの吊戸棚Ａの底板Ａ１を左右一対の取付部１４、１４で挟み付けて固定している昇降棚１は、上下２段の棚板１１、１２とその棚板の左右両端に配置している左右一対の上下伸縮装置１３、１３と、その上下伸縮装置の上端に取付けている前記取付部１４と、最上位位置での棚板１１、１２の周囲を覆う目隠し板１５および側面背面板１６で構成されている。
【００１７】
システムキッチンにおける吊戸棚Ａの下部空間を有効利用するための昇降棚１であり、棚の使用時または不使用時に合わせて昇降させる棚板１１、１２に連動して、前記取付部１４、１４間に配置した目隠し板１５が垂直状から水平状の範囲で回動する構造である。
【００１８】
上下伸縮装置１３は、複数のリンク１３ａを連続したＸ字状に組合わせてそれぞれ回動自在に軸止めしたパンタグラフ構造の伸縮装置であり、その最下部リンク下端に棚板１１を接続し、中間部リンクに棚板１２を接続している。また最上部リンク上端は取付部１４に接続している。
【００１９】
吊戸棚Ａへの取付部１４は、吊戸棚底板Ａ１の前端部に差し込む断面形状がコ字型の取付金具１４ａと、吊戸棚底板Ａ１の下面に当接する取付ベース１４ｂと、前記取付ベース１４ｂを貫通して前記取付金具１４ａの雌ネジにねじ込む締付ネジ１４ｃとで構成され、締付ネジ１４ｃを締め付けることにより前記取付金具１４ａの上片と前記取付ベース１４ｂの上面で吊戸棚底板Ａ１を挟み付けて昇降棚１を固定するものである。
【００２０】
目隠し板１５は、取付部１４、１４間に配置されており、図１において目隠し板１５はその背面が吊戸棚底板Ａ１の下面に近接した水平状になっている。また図２においては垂直状に吊り下がった状態で棚板１１、１２の前面を目隠ししている。さらに棚板１１、１２の左右側面と背面を覆って目隠しをする側面背面板１６を左右の取付ベース１４ｂの下面にネジ止めしている。なお、棚板１１のスノコの下面には棚板を引き下げるための把手１１ａを取付けている。
【００２１】
図３は、取付部１４と上下伸縮装置１３と目隠し板１５の連結状態を示した図であり、左右一対に配置した上下伸縮装置１３の最上部リンク１３ａ１の後端を連結棒１３ｂで連結すると共に取付ベース１４ｂに回動可能に軸止めしている。また最上部リンク１３ａ２の前端１３ｃを取付ベース１４ｂに前後スライド可能かつ回動可能に軸止めすると共に連結金具１５ａを介して目隠し板１５に連結している。
【００２２】
目隠し板１５は、左右一対の取付部１４、１４間に配置し、その左右の上端部を取付ベース１４ｂの前端に回動軸１５ｂで軸止めし、その回動軸１５ｂより下方位置を前記連結金具１５ａで回動可能に軸止めしている。
【００２３】
上記構造により、上下伸縮装置１３が伸長して棚板１１、１２が下降すると、最上部リンク１３ａ２の前端１３ｃが矢印Ｌ方向にスライドして目隠し板１５は矢印Ｕ方向に回動する。逆に上下伸縮装置１３が短縮して棚板１１、１２が上昇すると、最上部リンク１３ａ２の前端１３ｃが矢印Ｒ方向にスライドして目隠し板１５は矢印Ｄ方向に回動する。
【００２４】
なお、取付ベース１４ｂには、図２のような状態において棚板が不用意に下降するのを防止するストッパーとして棚板をひき付ける磁石１３ｄを取付けている。
【００２５】
図４は、棚板１１と上下伸縮装置１３の最下部リンク１３ａ３、１３ａ４との連結状態を示した図であり、前記最下部リンク１３ａ３の後端を棚板１１の側面の後端に固定金具１１ｂを介して回動可能に軸止めし、前記最下部リンク１３ａ４の前端を棚板１１の側面の中ほどにスライド金具１１ｃを介して前後にスライド可能にかつ回動可能に軸止めしている。また図４には表示していないが、棚板１２と上下伸縮装置１３との連結状態も上記と同じ構造である。
【００２６】
上記構造により、上下伸縮装置１３が伸長して棚板１１が下降すると、スライド金具１１ｃが矢印Ｌ方向にスライドし、逆に上下伸縮装置１３が短縮して棚板１１が上昇すると、スライド金具１１ｃが矢印Ｒ方向にスライドする。
【産業上の利用可能性】
【００２７】
本考案は、棚板をスノコ状の水切り棚としたが、これを底の浅い箱状にすることにより小物入れにすることもできる。
【符号の説明】
【００２８】
１・・・・昇降棚
１１・・・棚板
１１ａ・・把手
１１ｂ・・固定金具
１１ｃ・・スライド金具
１２・・・棚板
１３・・・上下伸縮装置
１３ａ・・リンク
１３ａ１、１３ａ２・・最上部リンク
１３ａ３、１３ａ４・・最下部リンク
１４・・・取付部
１４ａ・・取付金具
１４ｂ・・取付ベース
１４ｃ・・締付ネジ
１５・・・目隠し板
１５ａ・・連結金具
１５ｂ・・回動軸
１６・・・側面背面板
Ａ・・・・吊戸棚
Ａ１・・・底板
【図１】
0003153894.tif 000003
【図２】
0003153894.tif 000004
【図３】
0003153894.tif 000005
【図４】
0003153894.tif 000006